(57)【要約】  【課題】記録媒体のデータ記録領域の断片化を解消することが望ましいときにのみ、記録媒体の初期化処理を行うことのできる記録再生装置を提供する。  【解決手段】記録再生装置の１つであるハードディスクレコーダのリモコンのメインメニューキーが押されると、制御部は、メインメニュー５０，５１をテレビのモニタ３２ａに表示させる。ここで、ハードディスクのデータ記録領域の断片化に関する所定の条件が成立している場合は、メインメニュー５０は「ＨＤＤ全番組消去」および「ＨＤＤ全データ消去」を含む（図４（ａ））。一方、所定の条件が成立していない場合には、メインメニュー５０は「ＨＤＤ全番組消去」および「ＨＤＤ全データ消去」を含まない（図４（ｂ））。図４（ａ）の状態で「ＨＤＤ全番組消去」が選択されると、制御部は、「ＨＤＤ全番組消去」の処理を開始する。【選択図】  図４
2006065905.tif 000002
【特許請求の範囲】
【請求項１】
テレビ放送の映像および音声のデータを番組ファイルとしてハードディスクのデータ記録領域に記録し、当該番組ファイルの管理情報を当該ハードディスクの管理領域に記録すると共に、当該番組ファイルのデータを再生する記録再生装置において、
前記データ記録領域の断片化に関する所定の条件が成立しているか否かを判定する判定手段と、
装置に対して指示を与える指示手段と、
前記ハードディスクを初期化する初期化処理を実行する実行手段と、
実行可能な処理の名称を表示手段に表示させる表示制御手段と、を備え、
前記表示制御手段は、前記判定手段が前記所定の条件が成立していると判定したときにのみ前記初期化処理の名称を表示手段に表示させ、
前記初期化処理の名称が前記表示手段に表示されているときに、前記指示手段によって前記初期化処理の実行が指示されると、前記実行手段は、全ての前記番組ファイルの管理情報を消去することにより、または当該管理情報と前記管理領域に記録された他のデータとを消去することにより前記初期化処理を実行することを特徴とする記録再生装置。
【請求項２】
放送のデータを番組ファイルとして記録媒体のデータ記録領域に記録し、当該番組ファイルの管理情報を当該記録媒体の管理領域に記録すると共に、当該番組ファイルのデータを再生する記録再生装置において、
前記データ記録領域の断片化に関する所定の条件が成立しているか否かを判定する判定手段と、
装置に対して指示を与える指示手段と、
前記記録媒体を初期化する初期化処理を実行する実行手段と、
実行可能な処理の名称を表示手段に表示させる表示制御手段と、を備え、
前記表示制御手段は、前記判定手段が前記所定の条件が成立していると判定したときにのみ前記初期化処理の名称を表示手段に表示させ、
前記初期化処理の名称が前記表示手段に表示されているときに、前記指示手段によって前記初期化処理の実行が指示されると、前記実行手段は前記初期化処理を実行することを特徴とする記録再生装置。
【請求項３】
請求項２に記載の記録再生装置において、
前記実行手段は、前記記録媒体が装置の適合品であることを示す情報を有さない場合には、前記初期化処理を実行しないことを特徴とする記録再生装置。
【請求項４】
請求項２または請求項３に記載の記録再生装置において、
前記表示制御手段は、前記判定手段が前記所定の条件が成立していると判定すると、前記初期化処理の実行が可能であることを示すメッセージを前記表示手段に表示させることを特徴とする記録再生装置。
【発明の詳細な説明】
【技術分野】
【０００１】
本発明は、放送の映像や音声のデータを記録媒体に記録し、記録されたデータを再生する記録再生装置に関する。
【背景技術】
【０００２】
ハードディスクレコーダは、１００ＧＢ以上の大きな記録容量のハードディスクドライブ（以下、ＨＤＤという）を備え、ＤＶＤ−ＲＷやＤＶＤ−ＲＡＭなどの記録媒体を交換しなくても長時間分のテレビ放送の映像および音声のデータを記録できることから、多くのユーザに使用されている。ハードディスクレコーダでは、テレビ放送のデータは番組ファイルとしてＨＤＤのハードディスクのデータ記録領域に記録され、番組ファイルの管理情報はハードディスクの管理領域に記録される。ハードディスクのデータ記録領域に大きな連続した空き領域がある場合は、番組ファイルのデータは当該空き領域に順次書き込まれる。
【０００３】
一方、テレビ放送の番組ファイルの再生が終了すると、通常、ユーザは当該番組ファイルを消去（削除）するので、番組ファイルの記録と消去が長期間にわたって繰り返されることになる。このため、上記の連続した大きな空き領域がなくなり、データ記録領域には多数の不連続な小さな空き領域ができる。これをデータ記録領域の断片化という。データ記録領域が断片化すると、不連続な小さな空き領域に細かく分断された状態でテレビ放送の番組ファイルが書き込まれることになる。そして、このように不連続な小さな空き領域に分断配置された番組ファイルが読み出されるときには、番組ファイルに対するアクセス速度が低下し、場合によっては、再生された映像の動きに滑らかさが欠けるといった状況も発生する。
【０００４】
そこで、上記のデータ記録領域の断片化を解消するために、全ての番組ファイルの管理情報を消去する、または番組ファイルの管理情報を含む、管理領域に記録された全てのデータを消去するなどの初期化処理を行うことによって、ハードディスクのデータ記録領域に連続した大きな空き領域を生成するようにしている。上記の初期化処理は、ユーザがリモコンを用いてメニュー画面をテレビに表示させ、所定の操作をすることで実行される。一方、ＨＤＤを備えたナビゲーションシステムおいては、上記のデータ記録領域の断片化を解消するために、ユーザが所定のキーを押したとき、または所定の条件が成立したときに（例えば、前回のデフラグメント処理の実行時から所定の時間が経過したときに）、デフラグメント処理を行うことが提案されている（例えば、特許文献１）。
【０００５】
尚、上記のデータ記録領域の断片化を解消するためのものではないが、複数台のＨＤＤを備えたハードディスクレコーダにおいて、機構部の経年変化などによるアクセス時の回転待ち時間の遅れが生じないように、定期的に各ＨＤＤのアクセス性能を測定し、測定結果に基づいてアクセス時の回転待ち時間を最適にするようにハードディスクのフォーマット処理を行うことが提案されている（例えば、特許文献２）。また、交換型ＨＤＤを着脱自在に装着するスロットを設けたハードディスクレコーダにおいて、交換型ＨＤＤの記録容量の空き領域が少なくなると表示手段に警告を表示することや、交換型ＨＤＤのハードディスクがフォーマットされていないことが検出されるとフォーマット処理を自動的に行うことが提案されている（例えば、特許文献３）。
【特許文献１】特開２００１−２８０９７６号公報（段落００６１、０１０２）
【特許文献２】特開２０００−２６０１０４号公報（段落０００１〜００２１）
【特許文献３】特開２００４−２３５８８号公報（段落０００９〜００１７）
【発明の開示】
【発明が解決しようとする課題】
【０００６】
しかしながら、上記従来のものにおいては、ハードディスクのデータ記録領域の断片化に起因する不具合が発生しておらず、上記の初期化処理を行う必要がないときであっても、ユーザが間違ってリモコンで初期化処理の実行を指示すると、全ての番組ファイルが消失してしまうという問題が起きる。尚、特許文献１に示されるデフラグメント処理は、上記の初期化処理に比べて複雑な処理であるので、ＨＤＤの記録容量が大きい（例えば、１００ＧＢ以上）場合には、当該処理が完了するまでに極めて長い時間がかかり、実用性の点でデータ記録領域の断片化の解消には用いることができない。
【０００７】
本発明は、上記問題点を解決するものであって、その課題とするところは、記録媒体のデータ記録領域の断片化を解消することが望ましいときにのみ、記録媒体の初期化処理を行うことのできる記録再生装置を提供することにある。
【課題を解決するための手段】
【０００８】
第１の発明では、テレビ放送の映像および音声のデータを番組ファイルとしてハードディスクのデータ記録領域に記録し、当該番組ファイルの管理情報を当該ハードディスクの管理領域に記録すると共に、当該番組ファイルのデータを再生する記録再生装置において、データ記録領域の断片化に関する所定の条件が成立しているか否かを判定する判定手段と、装置に対して指示を与える指示手段と、ハードディスクを初期化する初期化処理を実行する実行手段と、実行可能な処理の名称を表示手段に表示させる表示制御手段と、を備える。そして、表示制御手段は、判定手段が所定の条件が成立していると判定したときにのみ初期化処理の名称を表示手段に表示させ、初期化処理の名称が表示手段に表示されているときに、指示手段によって初期化処理の実行が指示されると、実行手段は、全ての番組ファイルの管理情報を消去することにより、または当該管理情報と管理領域に記録された他のデータとを消去することにより初期化処理を実行する。
【０００９】
ここで、指示手段には実施形態に示すリモコンが相当し、判定手段および実行手段には主に実施形態に示す制御部が相当し、表示制御手段には実施形態に示す制御部やＯＳＤ処理回路などが相当する。
【００１０】
上記のように、データ記録領域の断片化に関する所定の条件が成立しているときにのみ、すなわち、ハードディスクのデータ記録領域の断片化を解消することが望ましいときにのみ、初期化処理の名称が表示手段に表示され、初期化処理を実行することができるので、ユーザに対して初期化処理の必要性を知らせることができると共に、従来のように、初期化処理を行う必要がないときに初期化処理が実行されて、ユーザの意に反して全ての番組ファイルが消去されてしまうといった事態の発生を防止することができる。
【００１１】
第２の発明では、放送のデータを番組ファイルとして記録媒体のデータ記録領域に記録し、当該番組ファイルの管理情報を当該記録媒体の管理領域に記録すると共に、当該番組ファイルのデータを再生する記録再生装置において、データ記録領域の断片化に関する所定の条件が成立しているか否かを判定する判定手段と、装置に対して指示を与える指示手段と、記録媒体を初期化する初期化処理を実行する実行手段と、実行可能な処理の名称を表示手段に表示させる表示制御手段と、を備える。そして、表示制御手段は、判定手段が所定の条件が成立していると判定したときにのみ初期化処理の名称を表示手段に表示させ、初期化処理の名称が表示手段に表示されているときに、指示手段によって初期化処理の実行が指示されると、実行手段は初期化処理を実行する。
【００１２】
ここで、初期化処理とは、記録媒体のデータ記録領域の断片化を解消する処理、すなわちデータ記録領域に連続した大きな空き領域を生成する処理であり、実施形態に示す記録媒体の管理領域に記録された全ての番組ファイルの管理情報を消去する処理、または当該管理情報と管理領域に記録された他のデータとを消去する処理などが初期化処理に該当する。但し、番組ファイルの各データを記録媒体上で移動させるデフラグメント処理は、本発明の初期化処理には該当しない。また、指示手段には実施形態に示すリモコンが相当し、判定手段および実行手段には主に実施形態に示す制御部が相当し、表示制御手段には実施形態に示す制御部やＯＳＤ処理回路などが相当する。
【００１３】
上記のように、データ記録領域の断片化に関する所定の条件が成立しているときにのみ、すなわち、記録媒体のデータ記録領域の断片化を解消することが望ましいときにのみ、初期化処理の名称が表示手段に表示され、初期化処理を実行することができるので、ユーザに対して初期化処理の必要性を知らせることができると共に、従来のように、初期化処理を行う必要がないときに初期化処理が実行されて、ユーザの意に反して全ての番組ファイルが消去されてしまうといった事態の発生を防止することができる。
【００１４】
第２の発明の実施形態においては、実行手段は、記録媒体が装置の適合品であることを示す情報を有さない場合には、初期化処理を実行しないようにする。このようにすることで、当該情報を有さない市販の記録媒体に対しては、初期化処理が実行されず、ユーザが元々取り付けられている記録媒体の取り外し、および市販の記録媒体の取り付けを行わなくなる。これにより、記録媒体の交換に伴うトラブル、例えば、記録媒体の交換後に装置が正常に動作しなくなるといったトラブルの発生を未然に防止することができる。
【００１５】
また、第２の発明の実施形態においては、表示制御手段は、判定手段が所定の条件が成立していると判定すると、初期化処理の実行が可能であることを示すメッセージを表示手段に表示させる。上述のように、初期化処理の名称が表示手段に表示されるだけでは、ユーザに馴染みの少ない初期化処理の名称は見落されやすいが、上記のメッセージが表示手段に表示されるので、初期化処理に対するユーザの注意を喚起することができる。
【発明の効果】
【００１６】
本発明によれば、データ記録領域の断片化を解消することが望ましいときにのみ初期化処理を行うことができるので、初期化処理を行う必要がないときに初期化処理が実行されて、ユーザの意に反して全ての番組ファイルが消去されてしまうといった事態の発生を防止することができる。
【発明を実施するための最良の形態】
【００１７】
図１は、本発明に係る記録再生装置の１つであるハードディスクレコーダ（以下、装置という）の構成を示すブロック図である。以下、図１を参照して装置の構成を説明する。この装置はハードディスク１１ａに対してテレビ放送の映像信号および音声信号（以下では、両者を合わせて放送信号という）の記録および再生を行う。別の表現をすれば、ハードディスク１１ａに対してテレビ放送の映像および音声のデータの記録および再生を行う。装置の筐体１０の内部には、チューナ１５などを実装した不図示のプリント基板やＨＤＤ（ハードディスクドライブ）１１などが収納されている。ＨＤＤ１１は、ハードディスク１１ａ、ハードディスク１１ａに放送信号を記録し（書き込み）、ハードディスク１１ａに記録された放送信号を再生する（読み出す）記録再生部１１ｂ、および記録再生部１１ｂや不図示の記録再生ヘッド駆動部や回転駆動部などを制御するＨＤＤ制御部１１ｃなどから構成され、ＡＴＡ準拠のインタフェイスによって装置の他の部分に接続されている。
【００１８】
まず、放送信号の記録系について説明する。アンテナ３１で受信された放送信号は、チューナ１５で選局され、さらにＡ／Ｄ変換器１４でデジタル信号に変換された後に、符号化回路１３で、例えばＭＰＥＧ−２方式により圧縮符号化される。圧縮符号化された放送信号は、一旦記録バッファ１２に格納された後、記録再生部１１ｂによってハードディスク１１ａのデータ記録領域のセクタに番組ファイルとして順次記録される。放送信号の記録が終了すると、ＨＤＤ制御部１１ｃは、後述の制御部２０からの指示に従って、記録された番組ファイルの管理情報をハードディスク１１ａの管理領域に記録するように記録再生部１１ｂに指示する。上記の管理領域には、放送番組の録画予約に関するデータなども記録されている。
【００１９】
次に、放送信号の再生系について説明する。ハードディスク１１ａに記録された番組ファイルのデータ、すなわち放送信号は記録再生部１１ｂによって読み出され、一旦再生バッファ１６に格納された後に復号化回路１７で復号される。この復号された放送信号に対して、制御部２０から出力されるＯＳＤ（オンスクリーンディスプレイ）用のデータがＯＳＤ処理回路１８で重畳される。ＯＳＤ処理回路１８の出力信号は、Ｄ／Ａ変換器１９でアナログ信号に変換され、接続ケーブル３３によってテレビ３２に送られ、テレビ３２からテレビ放送の映像および音声が出力される。尚、上述のＡ／Ｄ変換や圧縮符号化などは、実際には放送の映像信号および音声信号に対して別々に行われるが、本発明の直接的事項ではないので、上述のＡ／Ｄ変換や圧縮符号化などについては簡略化して記載している。
【００２０】
制御部２０は、ＣＰＵ２０ａ、メモリ２０ｂ（例えば、ＲＯＭ、ＲＡＭおよびフラッシュメモリ）などから構成され、ＣＰＵ２０ａがメモリ２０ｂに格納されたプログラムを実行することによって、チューナ１５などの装置の各部を制御する。メモリ２０ｂには上述のＯＳＤ用のデータ、各種の制御データなどが格納されている。メモリ２０ｂから読み出されたＯＳＤ用のデータは、制御部２０によりＯＳＤ処理回路１８に送られる。リモコン２１は多数の操作キーを備えており、操作キーが押されると当該操作キーの信号を制御部２０に送信する。そして、制御部２０は、装置の各部を制御することにより、押された操作キーに応じた処理、例えば放送信号を番組ファイルとしてハードディスク１１ａへ記録する処理を実行する。
【００２１】
図２および図３は、本発明の動作を示すフローチャートである。まず、リモコン２１の操作キーの１つであるメインメニューキーが押されると、制御部２０は、メインメニューのＯＳＤ用データをメモリ２０ｂから読み出し、ＯＳＤ処理回路１８に送ることによって、メインメニュー５０または５１（図４（ａ）、（ｂ））をテレビ３２のモニタ３２ａに表示させる。いずれを表示するかは、後述する条件によって決まる。メインメニュー５０，５１には、実行することのできる処理メニュー（処理の名称）が表示される。図において、５０ａ、５１ａはカーソルである。メインメニュー５０，５１がモニタ３２ａに表示されるときには（すなわち、デフォルト状態では）、カーソル５０ａ、５１ａは「戻る」のところにあり、リモコン２１のカーソルキーが操作されると、カーソル５０ａ、５１ａが移動する。この点については以降の図面でも同様である。
【００２２】
ここで、ハードディスク１１ａのデータ記録領域の断片化に関する所定の条件が成立している場合には（Ｓ１：ＹＥＳ）、制御部２０は、「ＨＤＤ全番組消去」および「ＨＤＤ全データ消去」を含むメインメニュー５０（図４（ａ））をモニタ３２ａに表示させる（Ｓ２）。一方、上記の所定の条件が成立していない場合には（Ｓ１：ＮＯ）、制御部２０は、「ＨＤＤ全番組消去」および「ＨＤＤ全データ消去」を含まないメインメニュー５１（図４（ｂ））をモニタ３２ａに表示させる（Ｓ３）。上記の「ＨＤＤ全番組消去」とは、ハードディスク１１ａの管理領域に記録されている全ての番組ファイルの管理情報を消去することであり、ユーザから見ると全ての番組ファイル（録画ファイルともいう）が消去されたことになる。また、「ＨＤＤ全データ消去」とは、全ての番組ファイルの管理情報の消去に加えて、管理領域に記録されている他のデータ、例えば録画予約に関するデータなども消去することである。つまり、「ＨＤＤ全番組消去」および「ＨＤＤ全データ消去」は、ハードディスク１１ａのデータ記録領域の断片化を解消する初期化処理である。
【００２３】
ここで、データ記録領域の断片化に関する所定の条件について説明する。所定の条件とは、データ記録領域の断片化の原因となる処理の時間や回数が所定の基準値を超えたか否かなどの条件であり、例えば、番組ファイルがハードディスク１１ａに記録された回数やハードディスク１１ａから消去された回数が所定の基準値を超えたか否か、および番組ファイルのハードディスク１１ａへの総記録時間が所定の基準値を超えたか否かなどを所定の条件とすることができる。また、日に１回、装置がアイドル状態のときにハードディスク１１ａの管理領域に記録されている各番組ファイルのセクタ割り当て状況を解析することでデータ記録領域の断片化を数値化し、数値化された値が所定の基準値を超えているか否かを所定の条件としてもよい。
【００２４】
ここでは、番組ファイルの記録回数が所定の基準値を超えたか否かを所定の条件とする。すなわち、上記のステップＳ１では、番組ファイルの記録回数が所定の基準値を超えている場合に、制御部２０は所定の条件が成立していると判定する。上記の判定を行えるように、記録回数変数の領域がメモリ２０ｂに確保され、工場から装置が出荷される前に記録回数変数に０が設定され、さらに、番組ファイルが記録されるたびに記録回数変数の内容に１が加算され、さらに、「ＨＤＤ全番組消去」または「ＨＤＤ全データ消去」が実行されると記録回数変数に０が設定される。
【００２５】
メインメニュー５０または５１が表示された状態（図４（ａ）、（ｂ））で、カーソル５０ａ、５１ａがいずれかの処理メニューの位置に移動され、その状態でリモコン２１の決定キーが押されると、当該処理メニューが選択される。ここで、「ＨＤＤ全番組消去」が選択された場合は（Ｓ４：ＹＥＳ）、制御部２０は、図４（ｃ）に示すＨＤＤ全番組消去ボックス５１をＯＳＤによってモニタ３２ａに表示させる（Ｓ５）。このとき、カーソルはキャンセルボタン５１ｂの位置にある。
【００２６】
この状態で、リモコン２１の決定キーが押されることにより、キャンセルボタン５１ｂが押されると（Ｓ６：ＮＯ）、制御部２０は、表示中のボックス、すなわちＨＤＤ全番組消去ボックス５１を消去して（Ｓ１７）、Ｓ４に戻る。Ｓ４では、メインメニュー５０（図４（ａ））がモニタ３２ａに表示される。それに対し、カーソルを実行ボタン５１ａの位置に移動させ、リモコン２１の決定キーが操作されることで、実行ボタン５１ａが押されると（Ｓ６：ＹＥＳ）、制御部２０は、図５（ａ）に示す実行確認ボックス５２をモニタ３２ａに表示させる（Ｓ７）。この状態で、キャンセルボタン５２ｂが押されると（Ｓ８：ＮＯ）、制御部２０は、表示中のボックス、すなわちＨＤＤ全番組消去ボックス５１と実行確認ボックス５２とを消去して（Ｓ１７）、Ｓ４に戻る。
【００２７】
それに対し、カーソルを移動して実行ボタン５２ａが押されると（Ｓ８：ＹＥＳ）、制御部２０は、ＨＤＤ１１が装置に適合する適合品であるか否かを判定する（Ｓ９）。ここで、適合品の判定について説明する。まず、不揮発性のメモリ、例えばフラッシュメモリには、ＨＤＤが装置に適合する適合品であることを特定する適合情報が予め記憶されている。この適合情報は、装置の製造者の名称、装置の型式などからなる情報であり、市販のＨＤＤには記録されていない情報である。また、ハードディスク１１ａの管理領域の所定の位置にも、フラッシュメモリ中の適合情報と同じ情報が装置の製造時に記録される。制御部２０が所定のＡＴＡ準拠のコマンドをＨＤＤ制御部１１ｃへ送信すると、ＨＤＤ制御部１１ｃは、記録再生部１１ｂなどを制御することにより、ハードディスク１１ａの管理領域の所定の位置から上記情報を読み出し、制御部２０へ送信する。そして、制御部２０は、フラッシュメモリ中の適合情報とハードディスク１１ａから読み出された情報が同じであるか否かを調べることによって、上記の判定を行う。
【００２８】
ＨＤＤ１１が装置の適合品ではない場合（Ｓ９：ＮＯ）、例えば、ＨＤＤ１１がユーザによって交換された市販のＨＤＤである場合は、制御部２０は、図５（ｂ）に示すＨＤＤ不適合ボックス５３をモニタ３２ａに表示させる（Ｓ１６）。そして、確認ボタン５３ａが押されると、制御部２０は、表示中のボックス、すなわちＨＤＤ全番組消去ボックス５１と実行確認ボックス５２とＨＤＤ不適合ボックス５３とを消去して（Ｓ１７）、Ｓ４に戻る。それに対し、ＨＤＤ１１が装置の適合品である場合は（Ｓ９：ＹＥＳ）、制御部２０は、メインメニュー５０および表示中のボックス、すなわち、ＨＤＤ全番組消去ボックス５１と実行確認ボックス５２とを消去して（Ｓ１０）、図５（ｃ）に示すＨＤＤ全番組消去中ボックス５４をモニタ３２ａに表示させる（Ｓ１１）。この状態では、ＨＤＤ全番組消去中ボックス５４が表示される領域以外のモニタ３２ａの領域には、テレビ放送の映像が表示される。
【００２９】
次に、制御部２０は、ハードディスク１１ａの管理領域に記録されている、全ての番組ファイルの管理情報の消去を開始する（Ｓ１２）。全ての番組ファイルの管理情報の消去が終了すると（Ｓ１３：ＹＥＳ）、制御部２０は、ＨＤＤ全番組消去中ボックス５４を消去し（Ｓ１４）、さらに、断片化に関するデータをリセットし（Ｓ１５）（具体的には上記の記録回数変数に０を設定し）、「ＨＤＤ全番組消去」の処理を終了する。
【００３０】
一方、図４（ａ）または（ｂ）の状態で、「ＨＤＤ全番組消去」または「ＨＤＤ全データ消去」以外の処理メニューが選択された場合は（Ｓ４：ＮＯ、且つＳ１８：ＮＯ）、本発明とは無関係な処理が行われる。例えば、「戻る」が選択されると、制御部２０は、メインメニュー５０，５１を消去する。この結果、モニタ３２ａにはテレビ放送の映像が表示される。また、  図４（ａ）の状態で、「ＨＤＤ全データ消去」が選択された場合は（Ｓ４：ＮＯ、且つＳ１８：ＹＥＳ）、制御部２０は、「ＨＤＤ全データ消去」の処理を実行する（Ｓ１９）。尚、「ＨＤＤ全データ消去」の処理中に、上記の実行確認ボックス５２（図５（ａ））と同様なボックスがモニタ３２ａに表示された状態でキャンセルボタンが押された場合などには、制御部２０は実行ステップをＳ４に戻す。
【００３１】
「ＨＤＤ全データ消去」の処理は、上述の「ＨＤＤ全番組消去」の処理と類似の処理であるが、以下に両者の相違について説明する。まず、第１の相違について説明する。上記の「ＨＤＤ全番組消去」の処理では、ＨＤＤ全番組消去ボックス５１などに「ＨＤＤ全番組消去」の処理内容を示すメッセージが表示されたが、「ＨＤＤ全データ消去」の処理では、該当するボックス（例えば、ＨＤＤ全番組消去ボックス５１に相当するボックス）に「ＨＤＤ全データ消去」の処理内容を示すメッセージ（例えば、「全てのデータ（全ての録画ファイルおよび録画予約のデータなど）が消去されます」というメッセージ）が表示される。
【００３２】
次に、第２の相違について説明する。「ＨＤＤ全番組消去」では、図３のＳ１２において、ハードディスク１１ａの管理領域に記録されている、全ての番組ファイル（録画ファイル）の管理情報が消去されたが、「ＨＤＤ全データ消去」では、上記の全ての番組ファイルの管理情報の消去に加えて、管理領域に記録されている他のデータ（録画予約に関するデータなど）も消去される。このため、管理領域に記憶されている上述の適合情報と同じ情報も消去されてしまうので、「ＨＤＤ全データ消去」の処理の終了後に、制御部２０は、所定のＡＴＡ準拠のコマンドをＨＤＤ制御部１１ｃへ送信することによって、フラッシュメモリ中の適合情報をハードディスク１１ａの管理領域の所定の位置に書き込む。
【００３３】
以上述べた実施形態においては、データ記録領域の断片化に関する所定の条件が成立しているときにのみ、制御部２０は、メインメニュー５０に「ＨＤＤ全番組消去」および「ＨＤＤ全データ消去」を表示するようにしたが（図４（ａ））、これに加えて、上記所定の条件が成立しているときに、図６に示す案内ボックス５５をＯＳＤによってテレビ３２のモニタ３２ａに表示させるようにしてもよい。この案内ボックス５５には、「ＨＤＤ全番組消去」または「ＨＤＤ全データ消去」の実行が可能であることを示すメッセージ、すなわち、それらの実行を促すメッセージが表示される。ここで確認ボタン５５ａが押されると、案内ボックス５５は消える。尚、上記の条件が成立しているときに案内ボックス５５が繰り返し表示されるとユーザには目障りであるので、番組ファイルの再生の開始時または終了時などに案内ボックス５５を表示するのが望ましい。
【００３４】
また、上記実施形態では、放送の映像および音声のデータはハードディスク１１ａにのみ記録されたが、ＤＶＤ−ＲＷ、ＤＶＤ−ＲＡＭなどの光ディスクにも記録できる機能を併せ持つ記録再生装置でも本発明を実施することができる。さらに、上記実施形態では、記録媒体がハードディスク１１ａである場合について説明したが、ハードディスク１１ａ以外の記録媒体、例えばＤＶＤ−ＲＡＭなどに対しても本発明を適用することができる。尚、ＤＶＤ−ＲＡＭに対しては、適合品であるか否かの判定（図２のＳ９）は行われない。さらに、上記実施形態では、放送がテレビ放送である場合について説明したが、ラジオ放送である場合でも本発明を実施することができる。
【図面の簡単な説明】
【００３５】
【図１】ハードディスクレコーダの構成を示すブロック図である。
【図２】本発明の動作を示すフローチャートである。
【図３】本発明の動作を示すフローチャートである。
【図４】ＨＤＤ全番組消去の過程でのテレビの表示画面を示す図である。
【図５】ＨＤＤ全番組消去の過程でのテレビの表示画面を示す図である。
【図６】案内ボックスを示す図である。
【符号の説明】
【００３６】
１１  ＨＤＤ（ハードディスクドライブ）
１１ａ  ハードディスク
１１ｂ  記録再生部
１１ｃ  ＨＤＤ制御部
１８  ＯＳＤ処理回路
２０  制御部
２０ａ  ＣＰＵ
２０ｂ  メモリ
２１  リモコン
５０，５１  メインメニュー
５５  案内ボックス
【図１】
2006065905.tif 000003
【図２】
2006065905.tif 000004
【図３】
2006065905.tif 000005
【図４】
2006065905.tif 000006
【図５】
2006065905.tif 000007
【図６】
2006065905.tif 000008